(57)【要約】【課題】  提供者は特定の使用者に対して各種の情報を与える際に、煩雑な作業が不要であり、特定の使用者を確実に把握しながら、特定の使用者に対してのみ情報を瞬時に提供できる、ＩＣ情報配信システムを提供する。【解決手段】  本発明に係るＩＣ情報配信システムは、使用者（例えばＭ１）の個人に帰属するデータまたは機器固有のＩＤが紐付けされているＩＣタグＴＧ１、提供者Ｐの情報表示手段Ｓ、前記情報表示手段と結合された前記ＩＣタグの読取手段Ｒ、前記情報表示手段と結合され、前記ＩＣタグのデータまたはＩＤが保持されている情報保持手段ＤＢ、並びに、前記情報保持手段と結合された使用者の端末Ｔ１、を少なくとも具備する。【選択図】      図１
2006127125.tif 000002
【特許請求の範囲】
【請求項１】
使用者の個人に帰属するデータまたは機器固有のＩＤが紐付けされているＩＣタグ、  
提供者の情報表示手段、
前記情報表示手段と結合された前記ＩＣタグの読取手段、
前記情報表示手段と結合され、前記ＩＣタグのデータまたはＩＤが保持されている情報保持手段、並びに、
前記情報保持手段と結合された使用者の端末、
を少なくとも具備することを特徴とするＩＣ情報配信システム。
【発明の詳細な説明】
【技術分野】
【０００１】
本発明は、ＩＣ情報配信システムに係り、より詳細には、各種の会議や展示会において、情報の提供者がその情報を配信すべき特定の使用者を確認し、その使用者に対して、正確にかつリアルタイムで情報を送り届ける、ＩＣ情報配信システムに関する。
【背景技術】
【０００２】
従来、各種の会議場や展示会場、コンサート会場において、多数の参加者（以下、情報の使用者とも呼ぶ）に対して情報を発信する者（以下、情報の提供者とも呼ぶ）は、例えば議事録や展示、あるいは楽曲などの内容をホワイトボードやスライド、各種映写技術などで紹介するとともに、各使用者にそれぞれ紙媒体（情報が複写された書類やカタログなど）や電子媒体（情報が記録されたＦＤやＣＤ−ＲＯＭ、テープなど）により提供されていた。
【０００３】
このような従来のシステムでは、提供者が特定の使用者に対して情報を提供したい場合には、その提供者はその都度、使用者本人と面会するか、あるいは使用者本人が持参した参加証又は身分証にて確認するような作業が必要であった。このようなシステムは、提供者にとっては多大な労力を要する反面、使用者にとっては極めて煩わしい機会に遭遇せざるを得なかった。
【０００４】
すなわち、上述した従来のシステムにおいては、煩雑な作業が伴う認証を経てはじめて、提供者は特定の使用者に対して各種の情報を与えることが可能な状況にあった。しかしながら、近年は、多数の国から参加者が出席する国際会議、数万人を越えるような参加者が集まる展示会やコンサートなどが開催され、情報の発信者（提供者）が特定の参加者（使用者）を判別することは容易ならざる状況にあり、この問題を解決するシステムの開発が期待されていた。
【発明の開示】
【発明が解決しようとする課題】
【０００５】
本発明は上記事情に鑑みてなされたもので、提供者は特定の使用者に対して各種の情報を与える際に、煩雑な作業が不要であり、特定の使用者を確実に把握しながら、特定の使用者に対してのみ情報を瞬時に提供できる、ＩＣ情報配信システムを提供することを目的とする。
【課題を解決するための手段】
【０００６】
上記課題を解決するため本発明に係るＩＣ情報配信システムは、
使用者の個人に帰属するデータまたは機器固有のＩＤが紐付けされているＩＣタグ、  
提供者の情報表示手段、
前記情報表示手段と結合された前記ＩＣタグの読取手段、
前記情報表示手段と結合され、前記ＩＣタグのデータまたはＩＤが保持されている情報保持手段、並びに、
前記情報保持手段と結合された使用者の端末、
を少なくとも具備することを特徴とする。
【発明の効果】
【０００７】
上記構成からなるＩＣ情報配信システムによれば、提供者は情報表示手段により不特定多数の使用者に情報を見せるとともに、使用者の個人に帰属するデータまたは機器固有のＩＤが紐付けされているＩＣタグを所持した特定の使用者に対しては、前記情報表示手段と結合された前記ＩＣタグの読取手段を用いて認証作業を行い、前記情報保持手段と結合された使用者の端末へ時々刻々、例えば情報表示手段に表示した情報を提供できる。
【０００８】
したがって、本発明によれば、提供者は特定の使用者に対して各種の情報を与える際に、煩雑な作業が不要であり、特定の使用者を確実に把握しながら、特定の使用者に対してのみ情報を瞬時に提供できる、ＩＣ情報配信システムが得られる。
【発明を実施するための最良の形態】
【０００９】
以下、実施の形態に基づいて本発明を詳しく説明する。
図１は、本発明に係るＩＣ情報配信システムの一例を示す模式図である。
図１において、Ｐは情報の発信者（提供者）であり、ＰＳは発信者（提供者）Ｐが管理する領域を、Ｍ１〜Ｍ３は参加者（使用者）使用者を表している。
【００１０】
以下では、まず情報を受け取る立場にある使用者（例えばＭ１）が、その情報の提供者Ｐにアクセスする部分について説明する。図１には、個別にＩＣタグを所持した三名の使用者Ｍ１〜Ｍ３が存在する例を示しているが、個々のＩＣタグに、それぞれの使用者Ｍ１〜Ｍ３の個人に帰属するデータまたは機器固有のＩＤが紐付けされていれば、使用者の人数は例えば数万人を越えるような大人数であっても構わない。
【００１１】
特定の使用者Ｍ１は、使用者の個人に帰属するデータまたは機器固有のＩＤが紐付けされているＩＣタグＴＧ１を所持しており、情報の提供者Ｐが用意したＩＣタグの読取手段Ｒに向かって、使用者Ｍ１が無線ＷＬ１によりアクセスした状況を表している。
【００１２】
読取手段Ｒは、提供者Ｐの所有する情報表示手段Ｓと結合されている。情報表示手段Ｓとしては、例えば、会議場や展示会場、コンサート会場において、ホワイトボードやスライド、各種の映写技術による表示手段が挙げられる。
【００１３】
使用者Ｍ１のＩＣタグＴＧ１から受信した信号に基づき、読取手段Ｒは使用者Ｍ１が情報の提供者Ｐにとって、特定の使用者（以下、正規ユーザーとも呼ぶ）に該当するか否かを自動的に判断する。この判断は、情報表示手段Ｓと結合され、前記ＩＣタグＴＧ１のデータまたはＩＤが保持されている情報保持手段ＤＢと、使用者Ｍ１のＩＣタグＴＧ１から受信した信号とを照合することにより行われる。
【００１４】
上記照合により、ＩＣタグＴＧ１が特定の使用者が所持するものと判断された場合には、情報保持手段ＤＢは専用または公衆の回線Ｎを用いて、提供者Ｐは特定の使用者Ｍ１の端末Ｔ１に対して各種の情報を与える。この端末Ｔ１は、固定型の機器（例えば、パソコンやｆａｘ等）に限定されることはなく、携帯型の機器（例えば、携帯電話やＰＤＡ等）であってもよい。さらには、ＩＣタグＴＧ１が大容量のメモリや情報表示画面、情報印刷手段などを備えていれば、端末Ｔ１はＩＣタグＴＧ１自体であっても構わない。
【００１５】
本発明に係るＩＣ情報配信システムは、少なくとも上記構成をもつことにより、情報の提供者Ｐは特定の使用者Ｍ１に対して各種の情報を与える際に、煩雑な作業が不要となり、さらには特定の使用者Ｍ１を確実に把握しながら、特定の使用者Ｍ１に対してのみ情報を瞬時に提供できる。
【００１６】
本発明によれば、情報保持手段ＤＢがＩＣタグＴＧ１の認証を自動で行い、ＩＣタグＴＧ１を所持する使用者Ｍ１の端末Ｔ１に情報を逐次発信することが可能なので、情報保持手段ＤＢの運用を管理するだけで、使用者に人数に何ら制限を受けないシステムが構築できる。
【産業上の利用可能性】
【００１７】
本発明のＩＣ情報配信システムを利用することにより、情報の提供者は特定の使用者に対して各種の情報（例えば、会議の議事録など）を与える際に、煩雑な作業が不要であり、特定の使用者を確実に把握しながら、特定の使用者に対してのみ情報を瞬時に提供できる。ゆえに、本発明は、使用者の人数がたとえ数万人規模となっても、大勢の使用者の中から特定の使用者を選別し、使用者が希望する情報形態で、リアルタイムに情報を配信することが可能となる。
【００１８】
よって、本発明は、提供者にとっては信頼性が高く、利用効率にも優れた情報の配信をもたらす。また、使用者にとっては自ら希望する形態で、リアルタイムに情報を受信できることから、極めて利便性に優れた情報の提供が得られる。
【図面の簡単な説明】
【００１９】
【図１】本発明に係るＩＣ情報配信システムの一例を示す模式図である。
【符号の説明】
【００２０】
ＤＢ  情報保持手段、Ｍ１〜Ｍ３  使用者、Ｐ  提供者、Ｒ  読取手段、Ｓ  情報表示手段、ＴＧ１〜ＴＧ３  ＩＣタグ、Ｔ１〜Ｔ３  端末、ＷＬ１〜ＷＬ３  無線。
【図１】
2006127125.tif 000003